(57)【要約】【課題】  画像センサと位置センサとを有する画像取得装置を撮像対象物の上で移動させて位置センサから得られる情報に基づいて画像取得装置の移動範囲を認識してその領域の画像を撮像して保存する場合、撮像される画像の領域は画像処理装置の移動領域の始点と終点とを結ぶ単純な図形となり、撮像対象物において複雑な領域の画像を取得したい場合にはそれらをすべて含むように移動領域を広くして取得することを所望しない箇所の画像を含む大きな画像を撮像することになり、不要に大きなデータ量の画像を処理することになる。【解決手段】  本発明の画像取得装置は、撮像された画像から所定の領域の画像を取得するための画像取得領域を指定する画像取得領域指定手段と、所定の領域の画像を取得しないための画像不取得領域を指定する画像不取得領域指定手段と、を有し、画像取得領域と画像不取得領域とから得られた画像取得領域情報に基づいてこれに対応する画像を記憶し、この記憶された画像を前記保存手段に保存する保存制御手段を有する。【選択図】図１
2016045630.tif 000002
【特許請求の範囲】
【請求項１】
画像センサと位置センサとを有し、撮像対象物の上を移動させて前記位置センサによる検知情報に基づいて認識された所定の領域の像を前記画像センサが撮像することで得られた画像データを保存手段に保存する画像取得装置であって、
撮像した画像を表示画面上に表示するために当該画像を記憶する表示用記憶手段と、
前記撮像した画像から画像を取得する領域である画像取得領域を指定する画像取得領域指定手段と、
前記画像取得領域の位置情報を記憶する画像取得領域記憶手段と、
前記撮像した画像から画像を取得しない領域である画像不取得領域を指定する画像不取得領域指定手段と、
前記画像不取得領域の位置情報を記憶する画像不取得領域記憶手段と、
前記画像取得領域と前記画像不取得領域とを確定させる画像取得領域確定手段と、
前記画像取得領域確定手段により確定された画像取得領域に対応する画像を記憶する画像記憶手段と、
前記画像記憶手段に記憶された画像を前記保存手段に保存する保存制御手段と、
を有する画像取得装置。
【請求項２】
前記画像取得領域記憶手段に指定された領域と前記画像不取得領域記憶手段に指定された領域とが重なったら、当該重なった領域で前記画像不取得領域記憶手段の処理が優先される、
請求項１に記載の画像取得装置。
【請求項３】
前記画像取得領域記憶手段に指定された領域と前記画像不取得領域記憶手段に指定された領域とが重なったら、当該重なった領域で前記画像取得領域記憶手段の処理か前記画像不取得領域記憶手段の処理かの一方を選択して当該選択された処理が優先される、
請求項１に記載の画像取得装置。
【請求項４】
画像取得領域指定手段は、前記表示用記憶手段が前記撮像した画像を記憶すると、前記画像取得領域指定手段が前記記憶した画像の略全域を前記画像取得領域として指定する、
請求項１に記載の画像取得装置。
【請求項５】
前記画像不取得領域に位置する画像は、単色のみが現出するように処理される、
請求項１乃至請求項４のいずれかに記載の画像取得装置。
【請求項６】
１の前記画像取得領域が他の前記画像取得領域および前記画像不取得領域と接しないとき、当該１の前記画像取得領域のみに対応する画像が、他の前記画像取得領域および前記画像不取得領域に対応される画像とは別に前記保存手段に保存される、
請求項１乃至請求項４のいずれかに記載の画像取得装置。
【発明の詳細な説明】
【技術分野】
【０００１】
本発明は、新聞紙面や自らが手書きしたメモ帳などの撮像対象物の上で画像センサを移動させてその移動した領域の画像を取得させ、その取得した画像を画面に表示し、その表示された画像から所定の領域の画像を選択的に切り出して保存する画像取得装置に関する。
【背景技術】
【０００２】
撮像対象物の上で画像センサを移動させてその移動した領域の画像を保存する画像取得装置において、例えば表示された画像の中の特定の領域の画像のみを取得したい場合、従来は、一旦その画像を画像ファイルとして保存してから、画像編集用のアプリケーションによりその画像において取得したくない部分を削除するなどの編集を行う必要があった。
【先行技術文献】
【特許文献】
【０００３】
【特許文献１】特開平９−２２４７０号公報
【発明の概要】
【発明が解決しようとする課題】
【０００４】
撮像対象物の上で画像センサを移動させてその領域を撮像した画像から所定の領域の画像を画像取得領域として指定してこれを画像ファイルとして保存するにあたり、その領域の外周が四角形のような単純な図形である場合には、利用者はその四角形の対角線をそれぞれ始点及び終点として指定すればよい。この方法では、始点として指定された位置と終点として指定された位置とから両者が対角線となる四角形を算出することは比較的容易であるが、画像として保存したい領域が四角形ではない場合、その保存したい領域の最外周を含む四角形を画像取得領域として指定してそれを保存した後、その保存された四角形の画像に含まれる保存したくない画像を画像編集用のアプリケーションにより削除する必要があるという問題点があった。
【０００５】
一方、複雑な図形を外周とする画像を保存するために、当該複雑な図形の外周をなぞる様に複数の点や線を指定しながら当該複雑な図形を画像取得領域として指定する手段が知られているが、このような方法では、利用者は、単純な四角形を指定する場合に比べて煩雑な作業が求められるばかりか、この方法を実現するプログラムの処理が複雑になることから利用環境によってはデータ処理が遅くなり、必ずしも使い勝手が良いものではなかった。
【０００６】
特許文献１に記載の発明は、始点として指定された位置と終点として指定された位置とから両者が対角線となる四角形の画像取得領域やペン機能により四角形に限られない自由な図形の画像取得領域を指定する手段を有するものである。
【０００７】
これに対し、本発明は、画像取得領域として四角形を指定すればよいという容易性を維持しながら不要な画像を保存しないために保存しない領域を自由に指定できる方法を用いる画像取得装置を提供するものである。
【課題を解決するための手段】
【０００８】
本発明の画像取得装置は、画像センサと位置センサとを有し、撮像対象物の上を移動させて前記位置センサによる検知情報に基づいて認識された所定の領域の像を前記画像センサが撮像することで得られた画像データを保存手段に保存する画像取得装置であって、撮像した画像を表示画面上に表示するために当該画像を記憶する表示用記憶手段と、前記撮像した画像から画像を取得する領域である画像取得領域を指定する画像取得領域指定手段と、前記画像取得領域の位置情報を記憶する画像取得領域記憶手段と、前記撮像した画像から画像を取得しない領域である画像不取得領域を指定する画像不取得領域指定手段と、前記画像不取得領域の位置情報を記憶する画像不取得領域記憶手段と、前記画像取得領域と前記画像不取得領域とを確定させる画像取得領域確定手段と、前記画像取得領域確定手段により確定された画像取得領域に対応する画像を記憶する画像記憶手段と、前記画像記憶手段に記憶された画像を前記保存手段に保存する保存制御手段と、を有する。
【０００９】
このような画像処理装置において、前記画像取得領域記憶手段に指定された領域と前記画像不取得領域記憶手段に指定された領域とが重なったら、当該重なった領域で前記画像不取得領域記憶手段の処理が優先される。
【００１０】
一方、上記のような処理に限られず、前記画像取得領域記憶手段に指定された領域と前記画像不取得領域記憶手段に指定された領域とが重なったら、当該重なった領域で前記画像取得領域記憶手段の処理か前記画像不取得領域記憶手段の処理かの一方を選択して当該選択された処理が優先されてもよい。
【００１１】
このような方法に加え、前記表示用記憶手段が前記撮像した画像を記憶すると、前記画像取得領域指定手段が前記記憶した画像の略全域を前記画像取得領域として指定するようにしてもよい。
【００１２】
前記画像不取得領域に位置する画像は、単色のみが現出するように処理される。
【００１３】
１の前記画像取得領域が他の前記画像取得領域および前記画像不取得領域と接しないとき、当該１の前記画像取得領域のみに対応する画像が、他の前記画像取得領域および前記画像不取得領域に対応される画像とは別に前記保存手段に保存されてもよい。
【発明の効果】
【００１４】
本発明に拠れば、撮像対象物において画像として保存したい領域が複雑な図形であった場合、当該複雑な図形を囲む四角形の指定を始点と終点とのみを指定することで実現し、その四角形の領域から不要な画像の指定を容易に解除することができ、画像編集用のアプリケーションを用いることなく、保存することを所望する画像のみを容易に取得することができる。
【００１５】
さらに、画像取得領域が撮像画像よりもはるかに小さい１の図形で形成されるとともに他の前記画像取得領域および前記画像不取得領域と接しないときには、その１の図形のみが画像のデータとして保存手段に保存されるため、余分な領域の画像を取り込む必要がなく、データ量を小さく抑えることができる。
【図面の簡単な説明】
【００１６】
【図１】本発明の画像取得装置を示すブロック図。
【図２】スキャナ付マウスの一例を示す図。
【図３】取得画像の表示状態を示す図。
【図４】画像ファイルのイメージを示す図。
【図５】処理の一例を示すフローチャート。
【発明を実施するための形態】
【００１７】
図１は本発明の画像取得装置１を示すブロック図である。この画像取得装置は、例えば図示しないパーソナルコンピュータにスキャナが接続されて構成されたもので、装置の各部がバス１１を介して中央処理装置１０に接続され、装置の各部の動作は中央処理装置１０により制御される。
【００１８】
一時メモリ１２は、プログラム１４の処理に必要なパラメータや、画像取得領域および画像不取得領域など、取得して保存する画像を決定する前の画像やその画像における位置の情報を一時的に記憶するための構成であって、中央処理装置１０が直接アクセスできて処理を早く実行できることが好ましいことから、主に一次記憶装置（主記憶装置）により構成される。
【００１９】
保存部１３は、取得する領域が決定した画像ファイルを保存するためのもので、多くの容量があることが好ましいことから、ハードディスクなどの補助記憶装置により構成される。
【００２０】
表示部１５は、文字や画像を表示するための表示装置であって、撮像した画像やその画像から画像取得領域および画像不取得領域を指定している状態や取得して保存する画像が決定した状態を視覚的に示すために用いられるものであり、パーソナルコンピュータに接続されたディスプレイ装置などがこの機能を担保する。
【００２１】
画像センサ１６１は、撮像対象物の上を移動させてその画像を撮像するためのイメージセンサであって、撮像する位置を検知するために位置センサ１６２とともに用いられる。これらの構成は、マウス１６に画像センサ１６１と位置センサ１６２とを設けることで構成されてもよい。
【００２２】
図２は、本発明に用いることができるスキャナ付マウスの一例を示す図である。この一例は、マウス１６の底面に画像センサ１６１と位置センサ１６２とを設けて、マウス１６にマウスとしての機能とスキャナとしての機能とを持たせたものであるが、画像センサ１６１はイメージセンサにより構成されてもよく、位置センサ１６２はレーザーセンサによって構成されてもよい。特にマウス１６が光学式マウスであれば、表示部１５に表示されるマウスカーソルの位置を決定するための位置情報を検知するレーザーセンサと位置センサ１６２としてのレーザーセンサとが同じものにより構成されてもよいが、この構成に限られず、それぞれ個別に設けられてもよい。
【００２３】
マウス１６は、通常はパーソナルコンピュータのためのマウスとして用いられるためその状態において撮像対象物を撮像することはないが、切り替えスイッチ１６３を押してマウスとしての機能であるマウスモードから撮像手段としての機能であるスキャナモードに切り替えると、以降マウスとしての機能が休止され、画像センサ１６１が撮像対象物の撮像を開始し、このようなスキャナモードの状態で切り替えスイッチ１６３を押すとマウスモードに復帰する。
【００２４】
画像センサ１６１が撮像対象物を撮像するにあたり、利用者がマウス１６を撮像対象物の上で移動させると位置センサ１６２がその移動位置を検知し、当該移動位置の略外周が撮像範囲として処理される。
【００２５】
キーボード１７は、例えばパーソナルコンピュータに接続されたキーボードであり、プログラム１４を操作するために用いられる。
【００２６】
図３は、新聞紙面を撮像対象物としてその所定の領域の像を撮像した撮像画像３から画像取得領域３１、３２や画像不取得領域３３を指定する時に表示部１５に表示される状態を示す図である。まず、画像センサ１６１もしくはそれが搭載されたマウス１６を撮像対象物の上で撮像しながら移動させて、位置センサ１６２から得られる情報に基づいて画像取得装置の移動範囲を認識してその領域で撮像された像を取得して得られた画像データである撮像画像３が決定され、これが表示部１５に表示された状態で、利用者がマウス１６やキーボード１７を用いてプログラム１４を稼働させて、画像取得領域３１、３２や画像不取得領域３３を指定する。
【００２７】
次に、画像取得領域３１および画像取得領域３２を指定する方法を説明する。撮像画像３における所定の領域であって利用者が画像を取得することを所望する領域の始点とする位置にマウスカーソルを表示させ、そこでマウス１６のクリック操作やキーボードのキーを押す操作により画像取得領域始点３１１を決定し、その状態からマウスドラッグなどの所定の操作を加えながら画像を取得することを所望する領域の終点とする位置にマウスカーソルを移動させ、そこでマウス１６のクリック操作やキーボードのキーを押す操作により画像取得領域終点３１２を決定し、以て、画像取得領域始点３１１と画像取得領域終点３１２とを対角線とする四角形の画像取得領域３１が決定されるが、指定される画像取得領域は１のみでも複数でもよく、すなわち画像取得領域３１のみであっても画像取得領域３２が加えられても、これらに加えさらに多く指定されてもよい。なお、画像取得領域３２を指定するための画像取得領域始点３２１および画像取得領域終点３２２の操作方法は、前述した画像取得領域３１を指定するための操作方法と同様であるため、その説明を省略する。
【００２８】
このような方法に加え、撮像画像３がそのまま画像取得領域３１として認識される、すなわち撮像画像３を決定するステップとそこから画像取得領域３１を指定するステップとを１ステップとしてもよい。この場合、撮像対象物を撮像することを以て画像取得領域３１が指定されるように利用者の作業を単純化することができることから、画像取得領域３２やそれに続く他の画像取得領域が指定できないようにプログラム１４を構成してもよい。
【００２９】
画像取得領域３１においてその一部に利用者が取得することを所望しない画像が含まれるのであれば、画像取得領域３１から当該所望しない画像を含む領域を画像不取得領域３３として指定する。次にその方法を説明する。
【００３０】
撮像画像３における所定の領域であって利用者が画像を取得することを所望しない領域の始点とする位置にマウスカーソルを表示させ、そこでマウス１６のクリック操作やキーボードのキーを押す操作により画像不取得領域始点３３１を決定し、その状態からマウスドラッグなどの所定の操作を加えながら画像を取得することを所望する領域の終点とする位置にマウスカーソルを移動させ、そこでマウス１６のクリック操作やキーボードのキーを押す操作により画像不取得領域終点３３２を決定し、以て、画像不取得領域始点３３１と画像不取得領域終点３３２とを対角線とする四角形の画像不取得領域３３が仮決定される。なお、画像不取得領域は１のみでも複数でもよい。
【００３１】
画像取得領域３１の中から画像不取得領域３３を指定するのであれば、両者が重なる領域においては画像不取得領域３３の動作が優先されることが好ましいことから、プログラム１４をそのように処理されるようにしてもよいが、このような方法に限られず、当該両者が重なる領域において画像取得領域３１としての動作と画像不取得領域３３としての動作とからいずれかを選択して指定できるようにプログラム１４を構成してもよい。
【００３２】
プログラム１４が、画像取得領域３１と画像不取得領域３３とが重なる領域において両者の処理から一方を選択できるように構成されているのであれば、例えば、利用者が、画像を保存することを所望する領域に誤って画像不取得領域３３として指定した領域を重ねてしまった場合に、その領域に対して画像取得領域３１の処理を優先するように選択することで誤った指定を解除することができるほか、画像不取得領域３３が２箇所（あるいはそれ以上）指定されてそれらがともに画像取得領域３１と重なる領域を有するときに、一方では画像取得領域３１の処理を優先させ他方では画像不取得領域３３の処理を優先させるといった複雑な指定ができる。この方法のほかに、プログラム１４画像取得領域３１および画像不取得領域３３を指定した後にこれらの指定を解除するための処理（いわゆるアンドゥ）を設けてもよい。
【００３３】
図４は、取得した画像データから生成される画像ファイルのイメージを示す図である。図４（ａ）に示されるように、画像取得領域３１に相当する領域の画像である取得画像４１の一部に重なって画像不取得領域３３として指定されてその領域の画像が取得されずに不取得画像４３として配された保存画像４が保存された場合において、不取得画像４３は、白や黒などの単色で表記されてもよいが、取得画像４１と異なる領域であることを明示したいのであれば白や黒などに限られず黄色や紫色などに表記されていてもよく、画像取得時や画像保存時に利用者がその色を選択できるように構成してもよい。
【００３４】
図４（ｂ）に示されるように、保存画像４を他の画像４４の上に重ねたように見える画像として処理される場合において、その重ねたように見える箇所には取得画像４１が表示されて、不取得画像４３に相当する箇所と取得画像４１が存在しない箇所には他の画像４４が表示されるように、すなわち、不取得画像４３の色をいわゆる「透明」とするように構成してもよい。
【００３５】
一方、互いに重ならない領域に取得画像４１と取得画像４２とを有する場合において、図４（ｃ）に示されるように両者が１の保存画像４として保存されてもよいし、図４（ｄ）に示されるようにそれぞれの画像取得領域に基づく２の保存画像４として保存されてもよい。この場合、取得画像４１と取得画像４２との間に位置する領域の画像が保存されないため、１の保存画像４として保存される場合に比べてデータ量を小さく抑えることができる。
【００３６】
図５を用いて本発明を実現するための処理の流れを説明する。まず、画像取得装置１を起動し（ステップ５０１）、画像センサ１６１を起動して撮像対象物の上でこれを移動させてその移動位置の像を撮像し（ステップ５０２）、それにより得られた画像データを表示用画面に表示するための撮像画像３として一時メモリ１２に記憶する（ステップ５０３）。
【００３７】
次に、利用者が撮像画像３から画像取得領域３１や画像取得領域３２を指定してその位置の情報を一時メモリ１２に記憶し（ステップ５０４）、さらに撮像画像３から画像不取得領域３３を指定してその位置の情報を一時メモリ１２に記憶する（ステップ５０５）。
【００３８】
画像取得領域３１と画像不取得領域３３とが重なる領域がある（ステップ５０６／Ｙ）場合、その領域において画像不取得領域３３の処理を行うか否かを利用者が選択する（ステップ５０７）。画像不取得領域３３の処理を行うことが選択されたら（ステップ５０７／Ｙ）その重なる領域の画像が取得されず（ステップ５２８）、画像不取得領域３３の処理を行わないことが選択されたら（ステップ５０７／Ｎ）、その重なる領域の画像が画像取得領域３１の画像とともに取得される（ステップ５０８）。なお、画像取得領域３１と画像不取得領域３３とが重なる領域がない（ステップ５０６／Ｎ）場合は画像取得領域３１の画像が取得される（ステップ５０８）。
【００３９】
その後、利用者が画像取得領域３１、３２と画像不取得領域３３との指定を続けることを選択すると（ステップ５０９／Ｙ）、画像取得領域３１、３２および画像不取得領域３３の指定が再開され（ステップ５０４）、利用者が画像取得領域３１と画像不取得領域３３との指定を続けないことを選択すると（ステップ５０９／Ｎ）、画像取得領域３１と画像不取得領域３３とが確定してその領域の画像データが一時メモリ１２に記憶され、撮像画像３とその画像における画像取得領域３１と画像不取得領域３３との位置の情報が一時メモリ１２から削除される（ステップ５１０）。
【００４０】
画像ファイルを保存することを利用者が選択する（ステップ５１１／Ｙ）と、画像データから画像ファイルが生成されてその画像ファイルが保存部１３に保存された（ステップ５１２）後にプログラム１４がその処理を終了し（ステップ５１３）、利用者が、画像ファイルを保存しないことを選択して（ステップ５１１／Ｎ）プログラム１４の処理を続けることを選択すると（ステップ５３０／Ｙ）、画像取得領域３１、３２および画像不取得領域３３の指定が再開され（ステップ５０４）、プログラム１４の処理を続けないことを選択すると（ステップ５３０／Ｎ）、プログラム１４がその処理を終了する（ステップ５１３）。
【符号の説明】
【００４１】
１  画像取得装置（ブロック図）
１０  中央処理装置
１１  バス
１２  一時メモリ
１３  ファイル保存部
１４  プログラム
１５  表示部
１６  マウス
１６１  画像センサ
１６２  位置センサ
１７  キーボード
３  撮像画像
３１  画像取得領域
３１１  画像取得領域始点
３１２  画像取得領域終点
３２  画像取得領域
３２１  画像取得領域始点
３２２  画像取得領域終点
３３  画像不取得領域
３３１  画像不取得領域始点
３３２  画像不取得領域終点
４  保存画像
４１  取得画像
４２  取得画像
４３  不取得画像
４４  他の画像
【図１】
2016045630.tif 000003
【図２】
2016045630.tif 000004
【図３】
2016045630.tif 000005
【図４】
2016045630.tif 000006
【図５】
2016045630.tif 000007